(57)【要約】【課題】いつでもどこでも手軽に使用でき、簡単なわりには優れたダイエット効果が得られる安価なダイエットパイプを提供する。【解決手段】中空状のパイプ本体の一端が蓋によって塞がれ、かつ蓋には少なくとも一以上の小孔が形成され、かつ前記パイプ本体の他端は開口しているとともに、他端部外周には抜け止めが形成した。【選択図】図１
0003134424.tif 000002
【実用新案登録請求の範囲】
【請求項１】
中空状のパイプ本体の一端が蓋によって塞がれ、かつ蓋には少なくとも一以上の小孔が形成され、かつ前記パイプ本体の他端は開口しているとともに、他端部外周には抜け止めが形成されたことを特徴とするダイエットパイプ。
【請求項２】
請求項１記載のダイエットパイプにおいて、前記パイプ本体の一端部には、前記蓋に形成された小孔の数を選択可能なキャップが設けられたことを特徴とするダイエットパイプ。
【請求項３】
請求項２記載のダイエットパイプにおいて、前記キャップは観音扉状に開閉自在であって、第１、第２の２分割構造のキャップ片からなることを特徴とするダイエットパイプ。
【請求項４】
請求項２記載のダイエットパイプにおいて、前記キャップは、前記パイプ本体の一端に回転自在に設けられ、かつ前記小孔を覆う円板を有し、この円板には小孔を露出させ、小孔の数を選択する切欠き状の開口部が設けられたことを特徴とするダイエットパイプ。
【考案の詳細な説明】
【技術分野】
【０００１】
この考案は、手軽にダイエット効果が得られるダイエットパイプに関する。
【背景技術】
【０００２】
日常生活の中で手軽にダイエット可能な用品としては種々のものが存在している。それらの中で、口にくわえたりしてダイエットを試みる用品としては、例えば登録実用新案第３０２３５１４号が存在する（以下、従来例１）という。
【０００３】
この従来例１は、腹減とダイエットのできるパイプにかかり、中空状のパイプ構造をなし、口にくわえ、呼吸を行うものである。
【０００４】
他のものとしては、登録実用新案第３０６２８０７号として「おしゃぶりアロマテラピーパイプ」と称されたものがある（以下、従来例２という）。これは、おしゃぶり感覚で使用するもので、アロマテラピーとハッカパイプとを結合させたものである。
【０００５】
更に、登録実用新案第３０６３８１３号として「ダイエットマスク」と称されたものがある（以下、従来例３という）。
【特許文献１】登録実用新案第３０２３５１４号
【特許文献２】登録実用新案第３０６２８０７号
【特許文献３】登録実用新案第３０６３８１３号
【考案の開示】
【考案が解決しようとする課題】
【０００６】
従来例１においては、パイプに大きな穴が開いた構造であって、口にくわえ、鼻から空気を吸い込み口から息を吐き出すようにしたもので、パイプは単に中空状のパイプに過ぎず、期待する程のダイエット効果は得られない、という課題がある。
【０００７】
従来例２においては、パイプの吸い口に、乳幼児用のおしゃぶりを付け、これにテラピーごとの香りが付いたカートリッジ式のパイプを交換可能としたもので、構成が複雑で、コスト高となる、という課題がある。
【０００８】
従来例３においては、通気性のない材質からなるマスクの中央部に穴をあけた構造となっており、口の部分をマスクで覆い強制複式呼吸動作をさせるようにしているが、夏などの気温の高い時期には暑苦しく、かつマスクを着用するため、ファッション性に欠け、その外観から羞恥心を感じ、購入しても使用しないことが多い、という課題がある。
【０００９】
この考案は、上記のことに鑑み提案されたもので、その目的とするところはいつでもどこでも手軽に使用でき、簡単なわりには優れたダイエット効果が得られる安価なダイエットパイプを提供するにある。
【課題を解決するための手段】
【００１０】
請求項１記載の考案は、中空状のパイプ本体の一端が蓋によって塞がれ、かつ蓋には少なくとも一以上の小孔が形成され、かつ前記パイプ本体の他端は開口しているとともに、他端部外周には抜け止めが形成されたことを特徴とする。
請求項２記載の考案は、請求項１記載のダイエットパイプにおいて、前記パイプ本体の一端部には、前記蓋に形成された小孔の数を選択可能なキャップが設けられたことを特徴とする。
請求項３記載の考案は、請求項２記載のダイエットパイプにおいて、前記キャップは観音扉状に開閉自在であって、第１、第２の２分割構造のキャップ片からなることを特徴とする。
請求項４記載の考案は、請求項２記載のダイエットパイプにおいて、前記キャップは、前記パイプ本体の一端に回転自在に設けられ、かつ前記小孔を覆う円板を有し、この円板には小孔を露出させ、小孔の数を選択する切欠き状の開口部が設けられたことを特徴とする。
【考案の効果】
【００１１】
本考案によれば、パイプ本体の一端に蓋が設けられ、かつこの蓋には少なくとも一以上であって適径の小孔が形成されているため、パイプ本体の他端部を口にくわえて息を吐いた場合、勢いよく息を吐いても一気に息が抜けることがなく、小孔を介して徐々に排気することができ、腹筋を鍛えたり、つまりお腹をへこませたり、顔の頬の筋肉のダイエット効果を得ることができ、いわゆる小顔化に最適である。
また、口にくわえる部分には抜け止めがあるため、くわえ易く、かつ息を吐いた際、滑って口から抜け止ることを防止できるとともに、全体形状が簡易であって製造コストが安価ですみ、かつ手軽に持ち歩くことができ、いつでもどこでも気楽に使用することができる。
更に小孔の数を選択可能なキャップ付きのものは、小孔の数を選択して運動量を調整することができる。
【考案を実施するための最良の形態】
【００１２】
以下、図面に沿って本発明の実施例を説明する。
【実施例１】
【００１３】
図１（ａ）は本考案の１実施例に係るダイエットパイプの側面から見た斜視図、（ｂ）は側断面図を示す。
【００１４】
このダイエットパイプ１は中空状のパイプ本体２を有し、このパイプ本体２の一端前面は蓋２ａによって覆われ、かつ他端２ｂは開口している。
【００１５】
蓋２ａには少なくとも一以上の適数個であって適径の小孔２ａ’があけられ、かつ他端部外周はネジのような凹凸状の抜け止め２ｃが形成されている。
【００１６】
材質としては樹脂の成形品により一体形式されている。大きさとしてパイプ本体２の径は、例えば約５ｍｍ前後から１ｃｍ前後とすると好ましいが、これに限られるものではない。タバコの径のように１ｃｍ前後とし、かつ長さもタバコと同程度とすれば、タバコケース内にも収納でき、かつ外周を白色とすると、くわえた場合、タバコをくわえているような印象を与え、違和感がない。外観の色はその他の色であっても良く、また、色分けや模様をつけることによってファッション性をもたせることができる。
【００１７】
使用にあたっては抜け止め２ｃ側を口に加え、鼻から吸った息を口から吐き出せば、パイプ本体２の一端側には小孔２ａ’を有する蓋２ａが設けられているため、蓋２ａが抵抗板となって息は一気に吐き出されることなく、小孔２ａ’を介し外部に徐々に排出される。したがって、腹筋と、頬の筋肉の運動となる。
【００１８】
小孔２ａ’を小さくしたり、数を増減させることにより運動量を調節することができる。すなわち、小孔２ａ’を小さくし、かつ数を少なくすれば、抵抗が増大するため、息を吐く際、大きく吐き出さなければならず、大きな運動量となる。この場合、口にくわえる側には抜け止め２ｃが形成されているため、パイプ本体２が口から飛び出すことはない。なお、小孔２ａ’を大きくしても良いが、径によっては息を吐き出す際に、音が生じることがある。したがって、音が生じない範囲の径とすることが好ましい。
【実施例２】
【００１９】
図２は本考案の第２実施例を示す。この実施例では、（ａ）図に示すように、一端部の蓋２０ａをネジ式にしてパイプ本体２０の一端部のネジ部２０ｂに着脱自在とし、その小孔２０ａ’の大きさ、数の異なるもの、蓋２０ａを例えば（ｂ）図に示すような蓋２０ａに交換可能としたことに特徴を有している。
【００２０】
自分の体力、望むダイエット効果に応じて適切な小孔２０ａ’の径、数の蓋２０ａを選択して使用すれば良い。
【実施例３】
【００２１】
図３は本考案の第３実施例を示す。
【００２２】
この実施例では、ダイエットパイプ本体３０をいわゆるスポイト式構造とした点に特徴を有している。パイプ本体３１は比較的柔軟な樹脂からなる。また、一端部には少なくとも一以上の小孔３１ａが形成され、他端部にはジャバラ状のすべり止め３１ｂが形成されている。
【００２３】
使用方法は第１実施例と同様である。
【実施例４】
【００２４】
図４は本考案の第４実施例を示す。
【００２５】
この実施例ではダイエットパイプ本体４０をおしゃぶりタイプとしたことに特徴を有し、材質はゴムまたは樹脂等にて形成されている。
【００２６】
一端部側に少なくとも一以上の小孔４０ａがあり、他端部側には抜け止め４０ｂが形成されている。
【００２７】
使用方法は第１実施例と同様である。
【実施例５】
【００２８】
図５（ａ）は本考案の第５実施例の正面図を示す。
【００２９】
この実施例は図１に示した第１実施例のパイプ本体２の一端部に、いわゆる観音扉状に開閉自在な第１、第２のキャップ片２Ａ、２Ｂを設けたことに特徴を有している。
【００３０】
この実施例では全体形状が円形をなすキャップは２部割構造のほぼ半円形をなす第１、第２のキャップ片２Ａ、２Ｂからなり、それぞれ外周部の中央部はパイプ本体２の一端部と連結部ａを介し連結されている。材質は可撓性を有する樹脂からなり、連結部ａを介し開閉自在になっている。
【００３１】
図５（ｂ）は第１、第２のキャップ片２Ａ、２Ｂを両開きした場合の正面図を示す。第１、第２のキャップ片２Ａ、２Ｂの内側の直線部の内側中央部には突起ｂがそれぞれ形成され、パイプ本体２の一端面２ａには、この突起ｂと嵌合する凹部ｃが形成され、突起ｂを凹部ｃに嵌合させることにより、第１、第２のキャップ片２Ａ、２Ｂを、図５（ａ）に示すように、閉じ、固定することができる。開く場合、指に力を入れて第１、第２のキャップ片２Ａ、２Ｂのいずれか一方または両方をこじ開ける。
【００３２】
図５（ｂ）に示すように、左右の第１、第２のキャップ片２Ａ、２Ｂを開いた場合、一端面２ａの全ての小孔２ａ’から吐いた息を外部に排出することができる。
【００３３】
図５（ｃ）、（ｄ）に示すように、いずれか一方のキャップ片２Ａ、２Ｂだけを開いて使用することができる。この場合、露出する小孔２ａ’の数が全開きに比べ少ないため、息を吐いた場合、それだけ腹部、頬に負荷がかかり、全開きに比べ運動量が増大する。
【実施例６】
【００３４】
図６（ａ）は本考案の第６実施例の正面図であって、図中右側は図１に示した第１実施例のパイプ本体２の一端面２ａ、左側は一端面２ａ部分に回転自在に取付けられる有底円筒状のキャップ２０Ａを示す。
【００３５】
このキャップ２０Ａは円板部にほぼ三角形の形状をなす切欠き状の開口部２０Ａ’を有し、この開口部２０Ａ’を介し一端面２ａに形成された小孔２ａ’が外部に露出する。
【００３６】
図６（ｂ）はパイプ本体２の一端部にキャップ２０Ａを回転自在に取付けた状態の側断面図を示す。
【００３７】
キャップ２０Ａの円板部後方には円筒部を有し、円筒部の内周には突部２０Ｂが形成されている。一方、パイプ本体２の一端部側外周には、この突部２０Ｂを摺嵌可能なリング状をなす凹部２’が形成され、これによりキャップ２０Ａをパイプ本体２に対し回転自在にさせることができる。
【００３８】
キャップ２０Ａを、図７（ａ）〜（ｃ）に示すように適宜回転させることにより、一端面２ａに形成された小孔２ａ’の数をその時の使用者の状況に応じ、適宜選択することができ、適切な運動量を得ることができる。
【図面の簡単な説明】
【００３９】
【図１】（ａ）本考案の第１実施例の斜視図、（ｂ）は側断面図を示す。
【図２】（ａ）本考案の第２実施例の部分斜視図、（ｂ）は交換可能な他のキャップ部品の斜視図を示す。
【図３】本考案の第３実施例の斜視図。
【図４】本考案の第４実施例の斜視図。
【図５】（ａ）本考案の第５実施例の正面図、（ｂ）は一対の蓋両方を開いたときの正面図、（ｃ）一方の蓋を開いたときの正面図、（ｄ）他方の蓋を開いたときの正面図を示す。
【図６】本考案の第６実施例であって、（ａ）図において図中右側がパイプ本体の正面図、左側はキャップの正面図、（ｂ）はパイプ本体一端部にキャップを取付けた状態の部分側面図を示す。
【図７】本考案の第６実施例であって、（ａ）〜（ｃ）はそれぞれキャップを回転させた場合の状態を示す。
【符号の説明】
【００４０】
１        ダイエットパイプ
２        パイプ本体
２ａ      蓋
２ａ’    小孔
２ｂ      開口部
２ｃ      抜け止め
２０      パイプ本体
２０ａ    蓋
２０ａ’  小孔
２０ｂ    ネジ部
３０      ダイエットパイプ
３１      パイプ本体
３１ａ    小孔
３１ｂ    抜け止め
４０      ダイエットパイプ
４０ａ    小孔
４０ｂ    抜け止め
２Ａ、２Ｂ    第１、第２のキャップ片
ａ            連結部
ｂ            突部
ｃ            凹部
２０Ａ        キャップ
２０Ａ’      開口部
【図１】
0003134424.tif 000003
【図２】
0003134424.tif 000004
【図３】
0003134424.tif 000005
【図４】
0003134424.tif 000006
【図５】
0003134424.tif 000007
【図６】
0003134424.tif 000008
【図７】
0003134424.tif 000009